(57)【要約】      （修正有）【課題】充電しない際にエネルギーを全く消耗しない省エネルギー充電装置を提供する。【解決手段】スイッチ回路２と、スイッチ駆動回路３と、充電回路４と、充電検出回路５とを含む省エネルギー充電装置１であって、外部負荷は前記充電回路４に接続され、前記スイッチ回路２は交流電流の入力をオンにし、直流電流に変換して外部負荷のバッテリー７を充電し、かつ、負荷６が充電完成信号を出力し、また負荷６が充電状態にないことを検出すると、直ちにスイッチ駆動回路３が信号を出力し、スイッチ回路２を「オフ」にして交流電流の入力を停止するよう制御することにより、無駄な電力の消耗を完全になくす目的を達成し、真の省エネルギー節電効果を達成することができる省エネルギー充電装置。【選択図】図２
0003139157.tif 000002
【実用新案登録請求の範囲】
【請求項１】
入力側が交流電流に接続され、交流電流の入力をオンまたはオフするスイッチ回路と、
信号出力側が前記スイッチ回路に接続され、出力信号で前記スイッチ回路が交流電流の入力をオンにするか、またはオフにするのを制御するスイッチ駆動回路と、
前記スイッチ回路の出力側に接続され、交流電流を直流電流に変換し、外部負荷のバッテリーに出力して充電する充電回路と、
前記充電回路の充電電流出力側とその信号出力側に接続され、充電中の負荷が取り外されているかどうか、または充電が完了しているかどうかを検出し、その信号出力側を前記スイッチ駆動回路の信号入力側に接続する充電検出回路と、
を含む省エネルギー充電装置であって、
外部負荷のバッテリーは前記充電回路に接続され、負荷の蓄電量信号出力側は前記スイッチ駆動回路の信号入力側に接続されることを特徴とする、省エネルギー充電装置。
【考案の詳細な説明】
【技術分野】
【０００１】
本考案は、充電装置に関し、特に充電しないときにエネルギーを全く消耗しない省エネルギー充電装置に関する。
【背景技術】
【０００２】
科学技術の進歩によってこれまでにない恩恵と便利さがもたらされ、人の行為や習慣のため、どうでもよいという惰性が往々にして生まれ、地球にこれまでにない破壊がもたらされている。この破壊は、増えることはあっても減ることはなく、日増しに深刻なものになっている。
【０００３】
毎年、世界で多くの携帯電話が捨てられ、多くの変圧器が捨てられ、多くのバッテリーが捨てられていることにより、非常に大きなビジネスチャンスが生まれているが、一方、地球の多くの資源が無駄にされている。
【０００４】
携帯電話の充電器を例にすると、充電が終わっても、充電器は通常コンセントに挿したままで抜くことはないが、このとき、携帯電話が充電状態にないにもかかわらず、充電器はエネルギーを消耗していることは無視できない。現在、携帯電話で用いられている最も効率のよい電子式変圧器で計算すると、１１０
ＡＣＶ交流コンセントに挿して、携帯電話の充電を行わない状態で、平均１時間約０．１５〜０．６Ｗのエネルギーを消耗し、平均値をとっても０．３７５Ｗである。２４時間連続では、９Ｗが消耗されることとなり、それだけでは多くはないが、１年間累計すると、消耗は３２８５Ｗにも達することになる。気がつかないうちに、携帯電話の充電器１つで、わけもなく地球の３２８５Ｗの電力を無駄にしており、さらに１億個の携帯電話充電器をかけると、非常に大きくエネルギーが無駄に消耗されていることが分かる。
【０００５】
携帯電話以外にも、ノートパソコン、ＰＤＡ、デジタルカメラ、ｉｐｏｄなどのその他の多くの民生電子製品も、バッテリーを大量に使用してエネルギー源とする電子商品であり、無駄に消耗される電気エネルギーを累積すると、非常に大きな量となることが分かる。しかし、この問題を改善する業者は一向に見られず、地球は、大量の電気エネルギーを供給するため、自然環境が重大な破壊を受けている。科学技術が人類にもたらすより多くの便利さと快適さを享受すると同時に、地球は１つしかないため、地球の破壊を減少させることも忘れてはならない。
【考案の開示】
【考案が解決しようとする課題】
【０００６】
これに鑑み、本考案の発明者は、この問題と目標について深く研究を行い、本考案の「省エネルギー充電装置」を開発し、かつ実地試用による検証後、所定の実用的な効果の目標を確実に達成することができることが分かっており、理想的な考案ということができる。
そこで、本考案の主な目的は、充電しないときにエネルギーを全く消耗しない省エネルギー充電装置を提供することにある。
【課題を解決するための手段】
【０００７】
上記課題を解決するため、本考案は、スイッチ回路と、スイッチ駆動回路と、充電回路と、充電検出回路とを含み、外部負荷は前記充電回路に接続され、前記スイッチ回路は交流電流の入力をオンにし、直流電流に変換して外部負荷のバッテリーを充電し、かつ、負荷が充電完了信号を出力し、また負荷が充電状態にないことを検出すると、直ちにスイッチ駆動回路が信号を出力し、スイッチ回路を「オフ」して交流電流の入力を停止するよう制御することにより、無駄な電力の消耗を完全になくす目的を達成し、真の省エネルギー節電効果を達成することができる省エネルギー充電装置を提供する。
【考案の効果】
【０００８】
上記のように、本考案は、負荷充電完了後、および負荷の充電がない状態の下で、直ちに「オフ」にし交流電流の入力を停止することができ、無駄な電力の消費を全くなくする目的を達成し、真の省エネルギー節電効果を達成する。
【考案を実施するための最良の形態】
【０００９】
図１のように、本考案における省エネルギー充電装置１は、入力側が交流電流に接続され、交流電流の入力をオンまたはオフするスイッチ回路２と、信号出力側がスイッチ回路２に接続され、出力信号でスイッチ回路２が交流電流の入力をオンにするかオフにするかを制御するスイッチ駆動回路３と、スイッチ回路２の出力側に接続され、交流電流を直流電流に変換し、外部負荷のバッテリーに対して出力し充電する充電回路４と、充電回路４の充電電流出力側とその信号出力側に接続され、充電中の負荷が取り外されているかどうか、または充電が完了しているかどうかを検出し、その信号出力側をスイッチ駆動回路３の信号入力側に接続する充電検出回路５とを含む。
【００１０】
図２のように、本考案は、負荷６のバッテリー７に接続することができ、負荷６の蓄電量信号の出力側は本装置のスイッチ駆動回路３の信号入力側に接続する。
【００１１】
本考案でいう負荷６とは、図３〜７のように、ノートパソコン、ＰＤＡ、携帯電話、デジタルカメラ、ｉｐｏｄなど、バッテリーを有する電子機器をいう。
【００１２】
本考案における省エネルギー充電操作手順は、
（Ａ）負荷６のバッテリー７を本装置充電回路４の出力側に接続し、負荷６がその蓄電量信号出力側から低蓄電量信号を本装置スイッチ駆動回路３信号入力側に出力し、その出力制御信号によりスイッチ回路２を駆動し、交流電流の充電回路４への入力をオンにし、直流電流に変換して外部負荷６のバッテリー７に出力して充電を行う手順と、
（Ｂ）負荷６が蓄電量出力側から充電完了信号をスイッチ駆動回路３に出力し、その出力制御信号によりスイッチ回路２のオフを駆動し、交流電流の入力を停止する手順と、
（Ｃ）充電プロセスにおいて充電検出回路５により充電中の負荷６が取り外されていないかどうかを検出し、すでに取り外されている場合は、その信号出力側から検出信号をスイッチ駆動回路３に出力し、その出力制御信号によりスイッチ回路２のオフを駆動し、交流電流の入力を停止する手順とからなる。
【図面の簡単な説明】
【００１３】
【図１】本考案における構造のブロック図である。
【図２】本考案における構造と負荷との接続状態の概略図である。
【図３】本考案の応用例１の説明図である。
【図４】本考案の応用例２の説明図である。
【図５】本考案の応用例３の説明図である。
【図６】本考案の応用例４の説明図である。
【図７】本考案の応用例５の説明図である。
【符号の説明】
【００１４】
１    省エネルギー充電装置
２        スイッチ回路
３        スイッチ駆動回路
４        充電回路
５        充電検出回路
６        負荷
７        バッテリー
【図１】
0003139157.tif 000003
【図２】
0003139157.tif 000004
【図３】
0003139157.tif 000005
【図４】
0003139157.tif 000006
【図５】
0003139157.tif 000007
【図６】
0003139157.tif 000008
【図７】
0003139157.tif 000009